(57)【特許請求の範囲】
【請求項１】
エレベータシステムを制御する方法であって、
新たな乗客が出発階から目的階へのエレベータサービスを要求していることを判断するステップと、
少なくとも１つの基準に基づいて候補となる候補エレベータかごを順位付けするステップと、
順位付けられた候補エレベータかごに新たな乗客を割り当てる場合に、順位付けられた候補エレベータかごに割り当てられる各乗客の停止回数を判断するステップと、
順位付けられた候補エレベータかごが、新たな乗客を受け入れることができ、かつ有資格かごに割り当てられる各乗客の停止回数を所望の最大停止回数に制限することができる有資格かごであるか否かを判断するステップと、
有資格かごのうち最も優位に順位付けられた有資格かごに新たな乗客を割り当てるステップと、
を含むことを特徴とする方法。
【請求項２】
前記順位付けられた候補エレベータかごの何れもが現在のエレベータシステム条件では有資格かごではなく、
前記方法は、前記少なくとも１つの基準と異なる少なくとも１つの基準に基づいて、一の候補エレベータかごに新たな乗客を割り当てるステップを含むことを特徴とする請求項１に記載の方法。
【請求項３】
少なくとも１人の乗客について、前記所望の最大停止回数を、より多い最大停止回数へと少なくとも一時的に増加させるステップと、
順位付けられた候補エレベータかごが、新たな乗客を受け入れることができ、かつ有資格かごに割り当てられる少なくとも１人の乗客の停止回数をより多い最大停止回数に制限することができる有資格かごであるか否かを判断するステップと、
有資格かごのうち最も優位に順位付けられた有資格かごに新たな乗客を割り当てるステップと、
を含むことを特徴とする請求項２に記載の方法。
【請求項４】
少なくとも１人の乗客の所望の最大停止回数を、少なくとも１人の他の乗客と異なるように増加させるステップ、及び
少なくとも一のエレベータかごに割り当てられた乗客の所望の最大停止回数を、少なくとも他の一のエレベータかごに割り当てられた乗客と異なるように増加させるステップ、
のうち少なくとも一方を含むことを特徴とする請求項３に記載の方法。
【請求項５】
前記少なくとも１つの基準と異なる少なくとも１つの基準は、
一のエレベータかごに搭乗する乗客の待ち時間、
乗客のかご内での時間、
一のエレベータかごに割り当てられた乗客の人数、及び
一のエレベータかごの現在の移動方向、
のうち少なくとも１つを含むことを特徴とする請求項２に記載の方法。
【請求項６】
少なくとも１人についての第１の所望の最大停止回数を用いるステップを含み、
前記少なくとも１人についての第１の所望の最大停止回数は、少なくとも１人の他の乗客についての第２の所望の最大停止回数と異なることを特徴とする請求項１に記載の方法。
【請求項７】
選択した乗客の所望の最大停止回数を選択するステップを含み、
前記選択するステップは、
前記選択した乗客の出発階、
前記選択した乗客の目的階、
前記選択した乗客からの要求を受信する日における時間、
前記選択した乗客の移動方向、及び
前記選択した乗客のステータス又は識別、
の少なくとも１つに基づくことを特徴とする請求項１に記載の方法。
【請求項８】
前記少なくとも１つの基準は、
一のエレベータかごに搭乗する乗客の待ち時間、
乗客のかご内での時間、
一のエレベータかごに割り当てられた乗客の人数、及び
一のエレベータかごの現在の移動方向、
のうち少なくとも１つを含むことを特徴とする請求項１に記載の方法。
【請求項９】
少なくとも１人の乗客について、前記所望の最大停止回数を、より多い最大停止回数へと少なくとも一時的に増加させるステップと、
順位付けられた候補エレベータかごが、新たな乗客を受け入れることができ、かつ有資格かごに割り当てられる少なくとも１人の乗客の停止回数をより多い最大停止回数に制限することができる有資格かごであるか否かを判断するステップと、
有資格かごのうち最も優位に順位付けられた有資格かごに新たな乗客を割り当てるステップと、
を含むことを特徴とする請求項１に記載の方法。
【請求項１０】
できるだけ多くの候補エレベータかごについて、割り当てられる各乗客の停止回数を最小限にするステップを含むことを特徴とする請求項１に記載の方法。
【請求項１１】
複数のエレベータかごと、
コントローラと、
を備えるエレベータシステムであって、
前記コントローラは、
新たな乗客が出発階から目的階へのエレベータサービスを要求していることを判断し、
少なくとも１つの基準に基づいて、候補となる候補エレベータかごを順位付けし、
順位付けられた候補エレベータかごに新たな乗客を割り当てる場合に、順位付けられた候補エレベータかごに割り当てられる各乗客の停止回数を判断し、
順位付けられた候補エレベータかごが、新たな乗客を受け入れることができ、かつ有資格かごに割り当てられる各乗客の停止回数を所望の最大停止回数に制限することができる有資格かごであるか否かを判断し、
有資格かごのうち最も優位に順位付けられた有資格かごに新たな乗客を割り当てるように構成されていることを特徴とするエレベータシステム。
【請求項１２】
前記順位付けられた候補エレベータかごの何れもが現在のエレベータシステム条件では有資格かごではなく、
前記コントローラは、前記少なくとも１つの基準と異なる少なくとも１つの基準に基づいて、一の候補エレベータかごに新たな乗客を割り当てるように構成されていることを特徴とする請求項１１に記載のエレベータシステム。
【請求項１３】
前記コントローラは、
少なくとも１人の乗客について、前記所望の最大停止回数をより多い最大停止回数へと少なくとも一時的に増加させ、
順位付けられた候補エレベータかごが、新たな乗客を受け入れることができ、かつ有資格かごに割り当てられる少なくとも１人の乗客の停止回数を前記より多い最大停止回数に制限することができる有資格かごであるか否かを判断し、
有資格かごのうち最も優位に順位付けられた有資格かごに新たな乗客を割り当てるように構成されていることを特徴とする請求項１２に記載のエレベータシステム。
【請求項１４】
前記コントローラは、
少なくとも１人の乗客の所望の最大停止回数を、少なくとも１人の他の乗客と異なるように増加させ、
少なくとも一のエレベータかごに割り当てられた乗客の所望の最大停止回数を、少なくとも他の一のエレベータかごに割り当てられた乗客と異なるように増加させるように構成されていることを特徴とする請求項１３に記載のエレベータシステム。
【請求項１５】
前記少なくとも１つの基準と異なる少なくとも１つの基準は、
一のエレベータかごに搭乗する乗客の待ち時間、
乗客のかご内での時間、
一のエレベータかごに割り当てられた乗客の人数、及び
一のエレベータかごの現在の移動方向、
のうち少なくとも１つを含むことを特徴とする請求項１２に記載のエレベータシステム。
【請求項１６】
前記コントローラは、少なくとも１人についての第１の所望の最大停止回数を用いるように構成されており、前記少なくとも１人についての第１の所望の最大停止回数は、少なくとも１人の他の乗客についての第２の所望の最大停止回数と異なることを特徴とする請求項１１に記載のエレベータシステム。
【請求項１７】
前記コントローラは、
前記選択した乗客の出発階、
前記選択した乗客の目的階、
前記選択した乗客からの要求を受信する日における時間、
前記選択した乗客の移動方向、及び
前記選択した乗客のステータス、
の少なくとも１つに基づいて、選択した乗客の所望の最大停止回数を選択するように構成されていることを特徴とする請求項１１に記載のエレベータシステム。
【請求項１８】
前記少なくとも１つの基準は、
一のエレベータかごに搭乗する乗客の待ち時間、
乗客のかご内での時間、
一のエレベータかごに割り当てられた乗客の人数、及び
一のエレベータかごの現在の移動方向、
のうち少なくとも１つを含むことを特徴とする請求項１１に記載のエレベータシステム。
【請求項１９】
前記コントローラは、
少なくとも１人の乗客について、前記所望の最大停止回数をより多い最大停止回数へと少なくとも一時的に増加させ、
順位付けられた候補エレベータかごが、新たな乗客を受け入れることができ、かつ有資格かごに割り当てられる少なくとも１人の乗客の停止回数を前記より多い最大停止回数に制限することができる有資格かごであるか否かを判断し、
有資格かごのうち最も優位に順位付けられた有資格かごに新たな乗客を割り当てるように構成されていることを特徴とする請求項１８に記載のエレベータシステム。
【請求項２０】
前記コントローラは、できるだけ多くの候補エレベータかごについて、割り当てられる各乗客の停止回数を最小限にするように構成されていることを特徴とする請求項１１に記載のエレベータシステム。
【発明の詳細な説明】
【技術分野】
【０００１】
本願は、乗客ごとの停止回数を制限するエレベータかご割当方法に関する。
【背景技術】
【０００２】
乗客の要求に応じてサービスを提供するため、種々のエレベータかご割当方法が存在する。その多くは、エレベータかごが到着して乗客がエレベータかごに搭乗する前に乗客が要するロビーでの待ち時間を最小限にすることに基づいている。エレベータかごに搭乗する乗客の待ち時間の量は、乗客の満足度に関する重要な基準となっている。例えば、乗客は、エレベータかごの到着までの時間が長いとイライラする傾向にある。
【０００３】
他のエレベータかご割当方法は、例えば、エレベータかごの移動距離又はエレベータシステムの運転に必要なエネルギー量を最小限にするエレベータシステムの性能に焦点をあてたものがある。
【発明の概要】
【発明が解決しようとする課題】
【０００４】
エレベータシステムの運転やエレベータの乗客満足度に影響を及ぼす多くの事項について考慮しなければならず、これらの事項は、乗客にサービスを提供するためにどのようにしてエレベータかごを割り当てるかを決定する際の課題となる。
【課題を解決するための手段】
【０００５】
例示的なエレベータシステム制御方法は、新たな乗客が出発階から目的階へのエレベータサービスを要求していることを判断するステップを含む。候補となる候補エレベータかごが順位付けされる。順位付けられた候補エレベータかごに新たな乗客を割り当てる場合に、順位付けられた候補エレベータかごに割り当てられる各乗客の停止回数が判断される。順位付けられた候補エレベータかごが、新たな乗客を受け入れることができ、かつ有資格かごに割り当てられる各乗客の停止回数を所望の最大停止回数に制限することができる有資格かごであるか否かの判断がなされる。新たな乗客は、有資格かごのうち最も優位に順位付けられた有資格かごに割り当てられる。
【０００６】
例示的なエレベータシステムは、複数のエレベータかごを備える。コントローラは、新たな乗客が出発階から目的階へのエレベータサービスを要求していることを判断するように構成されている。コントローラは、少なくとも１つの基準に基づいて、候補となる候補エレベータかごを順位付けする。コントローラは、順位付けられた候補エレベータかごに新たな乗客を割り当てる場合に、順位付けられた候補エレベータかごに割り当てられる各乗客の停止回数を判断するように構成されている。また、コントローラは、順位付けられた候補エレベータかごが、新たな乗客を受け入れることができ、かつ有資格かごに割り当てられる各乗客の停止回数を所望の最大停止回数に制限することができる有資格かごであるか否かを判断するように構成されている。コントローラは、有資格かごのうち最も優位に順位付けられた有資格かごに新たな乗客を割り当てる。
【０００７】
開示する実施例の他の特徴や特徴は、以下の発明の詳細な説明により当業者に明らかになる。詳細な説明に付随する図面について以下に簡単に説明する。
【図面の簡単な説明】
【０００８】
【図１】乗客の要求をエレベータかごに割り当てる例示的な方法を簡潔に示したフローチャート。
【図２】エレベータシステムの現在のステータスに関する情報を含んだエレベータシステムの一部を示す概略図。
【発明を実施するための形態】
【０００９】
図１は、エレベータシステムの例示的な制御方法を簡略的に示したフローチャート２０である。例示的な方法は、出発階から目的階まで移動する間に各乗客が経験する停止回数を制限するものである。
【００１０】
図１の実施例はステップ２２から開始される。ステップ２２では、新たな乗客要求の出発階及び目的階に関する判断がなされる。これは、乗客がエレベータかごに乗り込む前にエレベータシステムが乗客の目的階を判断する周知の技術を用いたいくつかの実施例において行われる。例えば、そのような情報をエレベータシステムのコントローラに提供する周知の目的階入力システムがある。ある実施例では、乗客の停止回数を制限するための方法は、目的階入力システムが全ての乗客によって使用されない場合でも有益である。換言すると、本発明は、必ずしも周知の目的階入力システムに制限されない。
【００１１】
ステップ２４では、判断された出発階から判断された目的階まで新たな乗客を運ぶための潜在的な候補とみなされるエレベータかごである候補エレベータかごが、少なくとも１つの基準に基づいて順位付けされる。一実施例には、予め設定した順位付け基準に基づいて候補エレベータかごを順位付けすることが含まれる。前記順位付け基準には、例えば、エレベータかごに搭乗する乗客の待ち時間、乗客のかご内での時間、一のかごに割り当てられる乗客数、又は現在のかご移動方向のうち少なくとも１つが含まれる。一実施例には、候補エレベータかごを順位付けするために、上記基準のうち少なくとも２つを組み合わせたものを用いることが含まれる。選択した基準に基づいて有利なステータスを有する候補エレベータかごは、他の候補エレベータかごよりも、より優位に順位付けされる。
【００１２】
一実施例において、待ち時間に基づいて候補エレベータかごを順位付けすることには、エレベータかごに搭乗する乗客の待ち時間が最も短いエレベータかごが含まれ、このエレベータかごは、待ち時間がより長い他のエレベータかごよりも優位に順位付けられる。かご内の時間を順位付けに用いる実施例では、乗客のエレベータかご内での時間がより短いものが、かご内時間がより長いものよりも優位であるとみなされる。かごに割り当てる乗客数を用いる場合には、乗客のより少ないかごが、乗客がより多いかごよりも優位であるとみなされる。いくつかの実施例には、エレベータかごを順位付けするための周知の方法が含まれる。
【００１３】
一実施例では、かご割当アルゴリズムは、エレベータシステム内における可能な限り多くの乗客について停止回数を最小限にすることを企図することを含む。これは、一実施例におけるかごの順位付けのための１つの基準として考慮される。
【００１４】
ステップ２６では、候補エレベータかごに新たな乗客を割り当てる場合に、当該候補エレベータかごに割り当てられた各乗客の停止回数が判断される。割り当てられた乗客には、エレベータかごに現在搭乗している乗客と、該エレベータかごにピックアップされるのを待っている乗客と、が含まれる。割り当てられた乗客には、かごに乗り込み、目的階を入力するためにかご操作パネルを使用した乗客が含まれる。換言すると、少なくともいくつかの本発明の実施態様に、目的階入力システムを使用しない乗客を適用することが可能である。割り当てられた乗客を考慮する場合、開示する実施例には、エレベータかごに新たな乗客を加えることが乗客に影響を及ぼさないように、割り当てられた乗客が一度にエレベータかごから出発したか否かを判断することが含まれる。
【００１５】
各乗客の停止回数は、可能である所望の最大停止回数に制限される。前述のかご割当アルゴリズムは、特定のエレベータかごによりサービスを受ける各乗客の停止回数を考慮しない。そのため、開示する実施例は、エレベータかごへの搭乗と目的階における到着との間における乗客の停止回数を制御することによって、向上した乗客サービスを提供する。
【００１６】
ステップ２８では、新たな乗客の割り当てを受けることが可能な有資格かご（ｑｕａｌｉｆｉｅｄ  ｃａｒ）があるか否かの判断がなされる。本実施例における有資格かごは、所望の最大停止回数に制限された、当該かごに割り当てられた全ての乗客の停止回数を有する。有資格かごは、当該かごに新たな乗客が割り当てられた場合、その新たな乗客を含む全ての乗客の最大停止回数を満足させる。
【００１７】
一実施例における所望の最大停止回数は、全ての乗客及び全てのかごについて同じである。他の実施例では、所望の最大停止回数は、乗客間で異なる。少なくとも１人の乗客は、少なくとも１人の他の乗客と異なる所望の最大停止回数を有する。そのようなアレンジにより、例えば、ＶＩＰ又は他の特別な考慮事項に対応して、特定の乗客プレミアムサービスを提供することができる。そのようなシステムでは、図１の実施例におけるステップ２８での判断がなされるときに、乗客の識別を行い、その乗客の最大停止回数が判断される。
【００１８】
他の実施例では、異なるエレベータかごは、特定の種類のサービスに割り当てられる。そのため、当該エレベータかごのうち一のエレベータかごにおける乗客の最大停止回数は、他のエレベータかごにおける乗客についての許容可能な最大停止回数と異なる。そのようなアレンジにより、上りピーク運転又は下りピーク運転に対応することが可能となるとともに、１つまたは複数のエレベータかごをそのような特定のサービスに適用させることが可能となる。他のエレベータかごは異なる方法で使用され得るため、乗客ごとに異なる停止回数とすることができる。いくつかの実施例には、新たな乗客の要求を受けた日における時間に基づいて所望の最大停止回数を変動させることが含まれる。図１の実施例におけるステップ２８での判断を行うための制御アルゴリズムは、例えば、時間依存型のものとし得る。
【００１９】
他の実施例には、要求がなされた階（フロア）、目的階又はこれらの組合せに基づいて所望の最大停止回数を変動させることが含まれる。例えば、地上レベルからビルの頂部付近の目的階まで移動する乗客の停止回数は、同じビル内でより短い距離を移動する乗客の停止回数よりも多くなり得る。本明細書の記載により、当業者であれば、特定のエレベータシステムの形態及び特定の環境に見合った最適な所望の最大停止回数を選択することができるであろう。
【００２０】
図１において符号３０で示すように、新たな乗客は、有資格かごのうち、最も優位に順位付けされた有資格かごに割り当てられる。いくつかの例では、最も優位に順位付けされた有資格かごは、最も優位に順位付けされた候補かごとはならない。例えば、一のエレベータかごは、該エレベータかごに搭乗する一の乗客の待ち時間に基づいて最も優位に順位付けされ得る。しかし、同じエレベータかごは、他の乗客に既に割り当てられており、当該他の乗客の停止回数は、そのエレベータかごに新たな乗客が割り当てられると所望の最大停止回数を超えてしまう場合がある。一方、より低く順位付けされた候補かごであっても、エレベータかごに割り当てられた乗客の所望の最大停止回数を超えることなく、新たな乗客に対応することができる場合がある。
【００２１】
いくつかの例では、ステップ２８における判断は、有資格かごがないという結果になることがある。そのような状況下では、ステップ３２において、割り当てを行うための少なくとも１つの基準に対して調節が行われる。例えば、少なくとも１人について最大停止回数を増加させてもよい。いくつかの実施例では、全ての乗客について許容可能な停止回数を増加させてもよい。異なる乗客に異なったステータスやクラスを適用する他の実施例では、例えば、優先順位がより低い乗客だけについて停止回数を増加させるようにしてもよい。また他の実施例には、ステップ３２において、少なくとも１つのエレベータかごにおける乗客の許容可能な停止回数を増加させることにより調節を行うことが含まれる。例えば、有資格かごを見つけるために、全てのエレベータかごについて又は一部のエレベータかごだけについて許容可能な停止回数を増加させてもよい。
【００２２】
一実施例では、有資格かごがない場合、かご割り当てを行うための決定要素として、最小待ち時間などの他の基準が用いられる。新たな乗客要求の割り当てを行うべく、１つの候補かごを選択するために、エレベータかごにおける現在の負荷、かご内時間又は他の要素などの他の基準が用いられる。
【００２３】
符号３４で示すように、調節された基準を用いて、少なくとも１つの候補エレベータかごが有資格かごとしての資格を有するか否かの判断がなされる。資格がない場合、ステップ３０において割り当てを行うため、ステップ３２において、有資格かごが見つけるまでさらに調節が行われる。
【００２４】
一実施例では、全ての候補かごは、当該かごが有資格かごであるか否かを判断するために検討される。そのような実施例では、一のエレベータかごに新たな乗客要求を割り当てる前に、割り当てる乗客の全てについての停止回数が判断される。他の実施例では、最も優位（最上位）に順位付けされた候補かごが最初に検討される。この検討したかごが有資格かごである場合、他の候補かごを検討することなく、その検討したかごに新たな乗客を割り当てる。そのような一実施例では、有資格かごが特定され、新たな乗客がそのかごに割り当てられるまで、複数の候補かごが検討され、最上位から最下位まで順位付けされる。
【００２５】
図２は、エレベータシステム４０の例示的な運転状態を概略的に示している。説明を目的として、３つのエレベータかご及び複数の階（フロア）を概略的に示す。符号４２で示すように、第１のエレベータかご（かごＡ）は、現在１５階に位置している。かごＡは、下降中であるか又はこれから下降するところである。第２のエレベータかご（かごＢ）は、符号４４で示す位置にある。かごＢは、下降中であり、図２に示すように１階に位置している。第３のエレベータかご（かごＣ）は、符号４６に示す位置にある。かごＣは、現在上昇中であって１０階を通過中である。
【００２６】
エレベータコントローラ５０は、現在位置及び移動方向を含む各エレベータかごに関する現在のステータス情報を維持するために、周知の技術を用いている。また、エレベータコントローラ５０は、各エレベータかごに割り当てられた乗客のステータスに関する情報を維持するように構成されている。割り当てられた乗客には、各かごに搭乗中の乗客と、各かごにピックアップされるように割り当てられた乗客と、が含まれる。
【００２７】
乗客インタフェース５２により、乗客はエレベータサービスの要求を入力することができる。説明を目的として、エレベータかごに未だ割り当てられていない乗客は、新たな乗客とみなす。コントローラ５０は、図１に示して前述した割当方法を用いて、新たな乗客を一のエレベータかごに割り当てるように構成されている。
【００２８】
例えば、新たな乗客がロビー階から１５階に移動するための要求を入力するとする。また、任意のエレベータかごにおける乗客の所望の最大停止回数が現在は「３」と設定されているとする。図２に示した条件に鑑みると、符号５４で示したように、かごＡは、既に割り当てられており、かつロビー階への移動を望む乗客をピックアップするため、１４階に停止する。また、かごＡは、既に割り当てられており、ロビー階への移動を望む乗客をピックアップするため、１１階に停止する。これは、図２に符号５６で示している。さらに、符号５８で示すように、ロビー階に向かうかごＡは、既に割り当てられており、かつロビー階への移動を望む他の乗客をピックアップするために停止する。符号６０で示すように、かごＡはロビー階に停止し、乗客は意図した目的階でエレベータかごから降りることが可能となる。
【００２９】
かごＢは、符号６２で示すように、現在１階に位置しており、ロビー階から１１階に移動させるように割り当てられた乗客をピックアップするため下降中である。１１階に向かう途中、かごＢは、符号６４に示すように、割り当てられた乗客をピックアップするために３階に停止する。この乗客は５階まで移動することを望んでいるため、符号６６に示すように、かごＢは５階に停止する。また、かごＢは、符号６８に示すように、１１階への移動を望む乗客を６階でピックアップするように割り当てられている。符号７０において、かごＢは、２人の乗客の割り当て階に到着し、この階で乗客はエレベータかごから降りる。
【００３０】
符号７２で示すように、かごＣは、１２階からロビー階への移動を望む乗客であって、かつかごＣに割り当てられた乗客をピックアップするため、１０階から上昇中である。次いで、かごＣは、符号７４で示すように、割り当てられた目的階（すなわち、ロビー階）へと下降する。
【００３１】
本実施例におけるエレベータコントローラ５０は、新たな乗客をロビー階から１５階へと移動させるため、潜在的な候補エレベータかごとして、３つの全てのかごを検討する。候補エレベータかごを順位付けするとき、かごＢは最も優位に順位付けされる。これは、かごＢはロビー階に最も近く、新たな乗客の待ち時間が最も短くなるためである。例えば、かごＢは、新たな乗客を数秒以内に受け入れることができる。さらに、新たな乗客は、３階又は６階からピックアップされるようにかごＢに割り当てられた乗客の待ち時間を増加させない。これは、符号６２で示すように、かごＢがロビー階で乗客をピックアップするように既に割り当てられているためである。本実施例では、かごＣは、かごＡよりも早く新たな乗客をピックアップすべくロビー階に到着することができるため、かごＢに続いて第２位に順位付けられる。説明を目的として、かごＣの到着は、かごＡよりも約３０秒早い。
【００３２】
所望の最大停止回数が「３」に制限されている、割り当てられた全乗客の停止回数を有する有資格かごがあるか否かの判断をすると、かごＡ及びかごＣだけが有資格かごとなる。かごＢは、乗客に既に割り当てられている呼びに応じるため３階および６階に停止しなければならない。また、かごＢは、符号６６，７０で示すように、割り当てられた目的階である５階および１１階に停止しなければならない。かごＢに新たな乗客が割り当てられると、この乗客は１５階に到着する前に３回よりも多く停止することとなってしまう。したがって、かごＢは、最も優位に順位付けられた候補エレベータかごであるが、上記の条件下では有資格かごとならない。
【００３３】
本実施例では、かごＡ及びかごＣがそれぞれ有資格かごとなる。かごＡ又はかごＣの乗客は、当該かごに新たな乗客が割り当てられたとしても、所望の最大停止回数である「３」を超える停止回数を経験することはない。本実施例では、かごＣは、より早くロビー階に到着するため、かごＡよりも優位に順位付けされる。したがって、コントローラ５０は、かごＣに新たな乗客を割り当てる。
【００３４】
ロビー階から９階に移動を望む乗客要求を受ける場合の他の実施例について述べる。上記実施例と同様にロビー階を出発階とし、システムの現在のステータスも上記実施例と同じとしているため、上記実施例と同様に、候補かごが順位付けられる。最初に、最も優位に順位付けされた候補かごを検討すると、かごＢは、かごＢに割り当てられた乗客の待ち時間を増加させることなく、新たな乗客の割り当てを受けることができる。しかし、新たな乗客がかごＢに割り当てられると、ロビー階から１１階への移動を望み、既にかごＢに割り当てられている乗客の停止回数は３回よりも多くなってしまう。このため、かごＢは有資格かごとはならない。本実施例の条件下では、かごＣ及びかごＡが共に有資格かごとなる。かごＣは、かごＡよりも優位に順位付けされる。本実施例では、コントローラ５０は、かごＣに新たな乗客を割り当てる。
【００３５】
上記の記載は例示的なものであり、限定的なものではない。当業者に明らかなように、開示した実施例に対して、本開示の本質から逸脱することなく種々の変更や修正がなされ得る。したがって、本開示に付与される法的保護の範囲は、以下の特許請求の範囲を検討することによって決定され得る。
【図１】
0005710073.tif 000002
【図２】
0005710073.tif 000003